【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
各々が時系列に沿った複数の単位映像からなる複数の映像ストリームに対して、それらのフレームレートを２倍よりも高くする高フレームレート変換を行い、この変換後映像ストリームを、前記複数の映像ストリームを時分割的に順次切り換えて映像表示を行う表示部に対して出力するフレームレート変換部と、
前記表示部における前記変換後映像ストリームの表示切換タイミングと同期した開閉動作を行うように、シャッター眼鏡に対する制御動作を行うシャッター制御部と
を備えた映像信号処理装置。
【請求項２】
前記フレームレート変換部は、各映像ストリームのフレームレートが２．５倍となるように、前記高フレームレート変換を行う
請求項１に記載の映像信号処理装置。
【請求項３】
前記フレームレート変換部は、各映像ストリームのフレームレートが４倍となるように、前記高フレームレート変換を行う
請求項１に記載の映像信号処理装置。
【請求項４】
前記フレームレート変換部は、更に、
前記変換後映像ストリームにおける各単位映像が複数回ずつ連続して前記表示部へ出力されると共に、出力対象の映像ストリームが時分割的に順次切り換えられるように、出力制御を行う
請求項１ないし請求項３のいずれか１項に記載の映像信号処理装置。
【請求項５】
前記フレームレート変換部は、動きベクトルを用いたフレーム補間によって補間フレームを生成することにより、前記高フレームレート変換を行う
請求項１ないし請求項３のいずれか１項に記載の映像信号処理装置。
【請求項６】
前記フレームレート変換部は、生成された前記補間フレームがオリジナルフレーム間に不均等な間隔で挿入されるように、前記フレーム補間を行う
請求項５に記載の映像信号処理装置。
【請求項７】
前記フレームレート変換部は、生成された前記補間フレームがオリジナルフレーム間に均等な間隔で挿入されるように、前記フレーム補間を行う
請求項５に記載の映像信号処理装置。
【請求項８】
前記複数の映像ストリームが、互いに視差を有する左眼用映像ストリームおよび右眼用映像ストリームである
請求項１に記載の映像信号処理装置。
【請求項９】
各々が時系列に沿った複数の単位映像からなる複数の映像ストリームに対して、それらのフレームレートを２倍よりも高くする高フレームレート変換を行うフレームレート変換部と、
前記フレームレート変換部から供給された変換後映像ストリームを時分割的に順次切り換えて映像表示を行う表示部と、
前記表示部における前記変換後映像ストリームの表示切換タイミングと同期した開閉動作を行うように、シャッター眼鏡に対する制御動作を行うシャッター制御部と
を備えた映像表示装置。
【請求項１０】
前記表示部が、液晶素子を含む液晶表示パネルである
請求項９に記載の映像表示装置。
【請求項１１】
各々が時系列に沿った複数の単位映像からなる複数の映像ストリームを、時分割的に順次切り換えて映像表示を行う映像表示装置と、
前記映像表示装置における映像ストリームの表示切換タイミングと同期した開閉動作を行うシャッター眼鏡と
を備え、
前記映像表示装置は、
前記複数の映像ストリームに対して、それらのフレームレートを２倍よりも高くする高フレームレート変換を行うフレームレート変換部と、
前記フレームレート変換部から供給された変換後映像ストリームを時分割的に順次切り換えて映像表示を行う表示部と、
前記表示部における前記変換後映像ストリームの表示切換タイミングと同期した開閉動作を行うように、前記シャッター眼鏡に対する制御動作を行うシャッター制御部と
を有する映像表示システム。
【手続補正２】
【補正対象書類名】明細書
【補正対象項目名】０００９
【補正方法】変更
【補正の内容】
【０００９】
本発明の映像信号処理装置は、各々が時系列に沿った複数の単位映像からなる複数の映像ストリームに対して、それらのフレームレートを２倍よりも高くする高フレームレート変換を行い、この変換後映像ストリームを、複数の映像ストリームを時分割的に順次切り換えて映像表示を行う表示部に対して出力するフレームレート変換部と、表示部における変換後映像ストリームの表示切換タイミングと同期した開閉動作を行うように、シャッター眼鏡に対する制御動作を行うシャッター制御部とを備えたものである。ここで、「映像ストリーム」とは、時系列上に沿った一連の単位映像の並びのことを意味しており、例えば、立体映像表示を行う場合における、左眼用映像ストリームや右眼用映像ストリームなどが挙げられる。また、例えば５０Ｈｚの映像ストリームの場合、静止画が５０Ｈｚの周期で連続的に切り替わることになるが、この静止画一枚一枚が、上記「単位映像」に対応している。
【手続補正３】
【補正対象書類名】明細書
【補正対象項目名】００１０
【補正方法】変更
【補正の内容】
【００１０】
本発明の映像表示装置は、各々が時系列に沿った複数の単位映像からなる複数の映像ストリームに対して、それらのフレームレートを２倍よりも高くする高フレームレート変換を行うフレームレート変換部と、このフレームレート変換部から供給された変換後映像ストリームを時分割的に順次切り換えて映像表示を行う表示部と、この表示部における変換後映像ストリームの表示切換タイミングと同期した開閉動作を行うように、シャッター眼鏡に対する制御動作を行うシャッター制御部とを備えたものである。
【手続補正４】
【補正対象書類名】明細書
【補正対象項目名】００１１
【補正方法】変更
【補正の内容】
【００１１】
本発明の映像表示システムは、各々が時系列に沿った複数の単位映像からなる複数の映像ストリームを、時分割的に順次切り換えて映像表示を行う上記本発明の映像表示装置と、この映像表示装置における映像ストリームの表示切換タイミングと同期した開閉動作を行うシャッター眼鏡とを備えたものである。
【手続補正５】
【補正対象書類名】明細書
【補正対象項目名】００１２
【補正方法】変更
【補正の内容】
【００１２】
本発明の映像信号処理装置、映像表示装置および映像表示システムでは、複数の映像ストリームに対して、それらのフレームレートを２倍よりも高くする高フレームレート変換が行われる。そして、この変換後映像ストリームが、複数の映像ストリームを時分割的に順次切り換えて映像表示を行う表示部に対して出力される。また、この表示部における変換後映像ストリームの表示切換タイミングと同期した開閉動作を行うように、シャッター眼鏡に対する制御動作が行われる。このようにして、フレームレートを２倍よりも高くする高フレームレート変換により得られる変換後映像ストリームを用いた映像表示、およびこの映像ストリームの表示切換タイミングに同期したシャッター眼鏡の開閉動作がなされることにより、従来と比べてシャッター眼鏡の開閉動作の周期が短くなる（開閉動作の周波数が高くなる）。
【手続補正６】
【補正対象書類名】明細書
【補正対象項目名】００１３
【補正方法】変更
【補正の内容】
【００１３】
本発明の映像信号処理装置、映像表示装置および映像表示システムによれば、複数の映像ストリームに対して、それらのフレームレートを２倍よりも高くする高フレームレート変換を行い、この変換後映像ストリームを、複数の映像ストリームを時分割的に順次切り換えて映像表示を行う表示部に対して出力すると共に、映像ストリームの表示切換タイミングと同期した開閉動作を行うように、シャッター眼鏡に対する制御動作を行うようにしたので、従来と比べてシャッター眼鏡の開閉動作の周期を短くする（開閉動作の周波数を高くする）ことができる。よって、シャッター眼鏡を用いて映像を観察する際のフリッカの発生を低減することが可能となる。
【手続補正７】
【補正対象書類名】明細書
【補正対象項目名】００１４
【補正方法】変更
【補正の内容】
【００１４】
【図１】本発明の一実施の形態に係る映像表示システムの全体構成を表すブロック図である。
【図２】図１に示した画素の詳細構成例を表す回路図である。
【図３】図１に示した映像信号処理部の詳細構成例を表すブロック図である。
【図４】図３に示したタイミングコントローラの動作について説明するためのタイミング図である。
【図５】図３に示した補間部の動作について説明するためのタイミング図である。
【図６】図５に示した補間パラメータの一例を表す図である。
【図７】図１に示した映像表示システムにおける立体映像表示動作の概要を表す模式図である。
【図８】比較例１に係る高フレームレート変換処理について説明するためのタイミング図である。
【図９】比較例２に係る高フレームレート変換処理について説明するためのタイミング図である。
【図１０】比較例１，２に係る立体映像表示動作を表すタイミング図である。
【図１１】実施の形態に係る高フレームレート変換処理の一例について説明するためのタイミング図である。
【図１２】実施の形態に係る立体映像表示動作を表すタイミング図である。
【図１３】変形例１に係る高フレームレート変換処理の一例について説明するためのタイミング図である。
【図１４】変形例２に係る映像信号処理部の構成例を表すブロック図である。
【図１５】変形例２に係る高フレームレート変換処理の一例について説明するためのタイミング図である。
【図１６】変形例２に係る高フレームレート変換処理の他の例について説明するためのタイミング図である。
【図１７】変形例３に係る映像信号処理部の構成例を表すブロック図である。
【図１８】変形例３に係る高フレームレート変換処理の一例について説明するためのタイミング図である。
【図１９】変形例３に係る立体映像表示動作を表すタイミング図である。
【図２０】変形例４に係る映像表示システムにおけるマルチ映像表示動作の概要を表す模式図である。
【図２１】他の変形例に係る立体映像表示動作を表すタイミング図である。
【手続補正８】
【補正対象書類名】明細書
【補正対象項目名】００４６
【補正方法】変更
【補正の内容】
【００４６】
図６に示したように、補間係数Relposの設定値が「０」の場合、オリジナルフレームＬ０，Ｒ０またはオリジナルフレームＬ２，Ｒ２に対応する補間位置（オリジナルフレームの位置）を示すこととなる。また、補間係数Relposの設定値が「０．４」の場合、補間フレームＬ０．４，Ｒ０．４に対応する補間位置（オリジナルフレームＬ０，Ｒ０の位置を「０」、オリジナルフレームＬ１，Ｒ１の位置を「１」とした場合における、時間軸上での「０．４」の位置）となる。同様に、補間係数Relposの設定値が「０．８」の場合、補間フレームＬ０．８，Ｒ０．８に対応する補間位置（オリジナルフレームＬ０，Ｒ０の位置を「０」、オリジナルフレームＬ１，Ｒ１の位置を「１」とした場合における、時間軸上での「０．８」の位置）となる。また、補間係数Relposの設定値が「０．２」の場合、補間フレームＬ１．２，Ｒ１．２に対応する補間位置（オリジナルフレームＬ１，Ｒ１の位置を「０」、オリジナルフレームＬ２，Ｒ２の位置を「１」とした場合における、時間軸上での「０．２」の位置）となる。同様に、補間係数Relposの設定値が「０．６」の場合、補間フレームＬ１．６，Ｒ１．６に対応する補間位置（オリジナルフレームＬ１，Ｒ１の位置を「０」、オリジナルフレームＬ２，Ｒ２の位置を「１」とした場合における、時間軸上での「０．６」の位置）となる。
【手続補正９】
【補正対象書類名】明細書
【補正対象項目名】００５９
【補正方法】変更
【補正の内容】
【００５９】
この図１０に示したように、立体映像表示動作の際には、シャッター眼鏡６における左眼用（６Ｌ）および右眼用（６Ｒ）の開閉動作が右眼用および左眼用の各映像の表示タイミングと同期して個別になされる。このため、原理上、シャッター眼鏡６における各眼用の開閉動作の周期は、左眼用および右眼用の各映像の表示周期（Ｌサブフレーム期間，Ｒサブフレーム期間の周期）と比べて長くなってしまう。換言すると、シャッター眼鏡６における各眼側の開閉動作の周波数（例えば、４８Ｈｚまたは５０Ｈｚ）は、各映像の切り換え周波数（Ｌサブフレーム期間，Ｒサブフレーム期間の周波数：例えば９６Ｈｚまたは１００Ｈｚ）の１／２となってしまう。このため、比較例１，２における高フレームレート変換処理を採用した場合、シャッター眼鏡６を用いて映像を観察した際に、人間の眼の特性に起因して、フリッカの発生を感じ易くなってしまうことになる。